(57)【要約】【課題】タッチパネルの補正等工場で実行する時に出来るだけ簡易操作で移行したいがユーザが利用するシーンであまりにも簡易な方法では想定していないシーンで補正画面へ遷移してしまう可能性がある。【解決手段】工場の出荷設定が行われるまでは簡易な操作でタッチパネルの補正画面へ遷移できるが出荷設定後はタッチパネルの補正画面へ簡易な操作では遷移不可とする。【選択図】  図３
2018149731.tif 000002
【特許請求の範囲】
【請求項１】
操作タッチパネル（２０１）とハードキー（２０２）を備え、データROM（１０４）に特定の操作を行うことによってタッチパネルの補正画面へ遷移できるかどうかを示す設定値を保存するエリアを持ち、前記設定値がタッチパネルの補正画面へ遷移可能な状態の時ハードキー（２０２）を所定の手順で押下することにより（Ｓ３０１）タッチパネルの補正画面へ遷移する（Ｓ３０５）。また前記設定値がタッチパネルの補正画面へ遷移不可な状態の時ハードキー（２０２）を所定の手順で押下したとしても（Ｓ３０１）設定値が不可であることを判断し（Ｓ３０４）タッチパネルの補正画面へ遷移しないことを特徴とする画像形成装置。
【発明の詳細な説明】
【技術分野】
【０００１】
本発明は、画像形成装置及びその制御方法に関し、特に、特定の条件が満たされるまで特殊画面へ遷移可能な方法に関する。
【背景技術】
【０００２】
近年、タッチパネルを搭載した画像形成装置が増えてきており組み立て工場では画像形成装置を組み立てた後にタッチパネルの校正や出荷設定を行い出荷する。タッチパネルの校正画面へ遷移する方法としてハードキーを利用した方法や電源投入してから一定時間内に所定回数のタッチパネルへのタッチを検出した場合タッチパネルの校正画面へ遷移する事が提案されている（特許文献１参照）。
【先行技術文献】
【特許文献】
【０００３】
【特許文献１】特開２０１１−６５３０１号公報
【発明の概要】
【発明が解決しようとする課題】
【０００４】
しかしながら、従来の方式ではタッチパネルの操作やハードキーの操作で簡単に校正画面へ遷移してしまうとユーザにとって意図しないタイミングで校正画面へ遷移してしまう可能性が生じる。ただし工場の組み立ての工程では出来るだけ簡易な操作で校正画面を遷移した方が工数を少なくできるため簡易な方法が望まれている。
【０００５】
本発明は、上述の課題を解決するためになされたものであり、その目的とするところは工場の組み立て工程等簡易な操作で画面を遷移することが望まれる環境では簡易な操作で画面遷移することを可能としユーザが通常利用するケースでは前述の操作では校正画面へ遷移しないことである。
【課題を解決するための手段】
【０００６】
操作タッチパネルとハードキーを備え、データROMに特定の操作を行うことによってタッチパネルの補正画面へ遷移できるかどうかを示す設定値を保存するエリアを持ち、前記設定値がタッチパネルの補正画面へ遷移可能な状態の時ハードキーを所定の手順で押下することにより（Ｓ３０１）タッチパネルの補正画面へ遷移する。また前記設定値がタッチパネルの補正画面へ遷移不可な状態の時ハードキーを所定の手順で押下したとしても設定値が不可であることを判断しタッチパネルの補正画面へ遷移しないことを特徴とする画像形成装置。
【発明の効果】
【０００７】
以上で説明したように本発明によれば、工場の組み立て工程のような簡易な操作が望まれる環境では校正画面へ簡易操作で遷移しユーザが通常使うケースでは前述の操作では画面遷移しないことが可能となる。
【図面の簡単な説明】
【０００８】
【図１】本発明の一実施の形態に係る画像形成装置のハードウェア構成を示すブロック図である
【図２】本発明での操作パネルの外観図である
【図３】本発明の実施例での特殊モードへ画面遷移する時のフローチャートである。
【図４】本発明の実施例での画面遷移の例である
【発明を実施するための形態】
【０００９】
以下、本発明を実施するための最良の形態について図面を用いて説明する。図１は、本実施例に係るＭＦＰ１００のハードウェア構成を示すブロック図である。各ブロックはモジュールを示しており、ブロック間の矢印はデータもしくは指示の流れを示している。ＭＦＰ１００は、印刷部１０７、読取部１０９、操作タッチパネル１１０、回線Ｉ／Ｆ１１２、及び、これらの制御を司るコントローラ部１０１にて構成される。
【００１０】
コントローラ部１０１は、ＣＰＵ１０２、ＲＡＭ１０３、ＲＯＭ１０４、印刷部Ｉ／Ｆ１０６、読取部Ｉ／Ｆ１０８、ＭＯＤＥＭ１１１、ＵＳＢ Ｉ／Ｆ１１５、ネットワークＩ／Ｆ１１８を含み、各ブロックはシステムバス１０５にて接続されている。ＣＰＵ１０２は、各種制御プログラムに従って前記の各ブロックを総括的に制御する。各種制御プログラムは、ＲＯＭ１０４のプログラム領域に記憶された制御プログラムを読み出す事によって実行される。或いは、ＲＯＭ１０４のプログラム領域に記憶された圧縮されたデータをＲＡＭ１０３へ伸張、展開して実行される。また、図示しないハードディスクドライブ（ＨＤＤ）に前述の各種制御プログラムを圧縮状態／非圧縮状態で格納してもよい。
【００１１】
ネットワークＩ／Ｆ１１６は、有線通信部１１７または無線通信部１１８を介してネットワーク１２１と通信する。ＭＯＤＥＭ１１１は、回線Ｉ／Ｆ１１２を介して公衆回線網１１４と接続し、図示しない他の画像形成装置やファクシミリ装置、電話機などと通信処理を行う。回線Ｉ／Ｆ１１２と公衆回線網１１４とは、一般的に電話線１１３などで接続される。
【００１２】
印刷部Ｉ／Ｆ１０６は、印刷部１０７（プリンタエンジン）に画像信号を出力するインターフェースを担う。また、読取部Ｉ／Ｆ１０８は、読取部１０９（スキャナエンジン）からの読取画像信号を入力するインターフェースを担う。ＣＰＵ１０２は、読取部Ｉ／Ｆ１０９より入力された画像信号を処理し、記録画像信号として印刷部Ｉ／Ｆ１０６へ出力する。
【００１３】
ＣＰＵ１０２は、ＲＯＭ１０４のフォント領域に記憶されたフォント情報を用いて、操作パネル１１０の表示部に文字や記号を表示したり、ユーザの指示を受けた操作タッチパネル１１０からの指示情報を受けたりする。また、ＲＯＭ１０４のデータ領域には、ＣＰＵ１０２によって画像形成装置１００の装置情報や、ユーザの電話帳情報、部門管理情報などが記憶され、ＣＰＵ１０２により必要に応じて読み出され、必要に応じて更新される。
【００１４】
図２は操作タッチパネル１１０の一例である。タッチパネル２０１にはタッチセンサーが取り付けられておりユーザが指もしくは操作タッチペンの圧力もしくは静電を感知しその変化に応じてタッチイベントを判定する。操作タッチパネルには表示画面以外にもハードキー２０２を持つ事ができユーザが各種動作を制御する際に押下するものである。
【００１５】
図３は本発明を実施するＭＦＰ１００のＣＰＵ１０２がＲＯＭ１０４に保存されているプログラムが実行する特殊画面へ遷移するフローチャートである。
【００１６】
Ｓ３０１では、ユーザがハードキー２０２を押下し特殊操作がなされたことを検知する。特殊操作を検知したらＳ３０２へ遷移する。
【００１７】
Ｓ３０２では、Ｓ３０１で操作されたコマンドがタッチパネル補正画面への遷移操作か判断する。タッチパネル画面の補正操作と判断した場合はＳ３０４へ遷移する。タッチパネル画面の補正操作以外ならＳ３０３へ遷移する。
【００１８】
Ｓ３０３では、タッチパネル補正画面以外の特殊画面への遷移コマンドが発行されているので該当する特殊操作画面へ遷移し終了する。Ｓ３０４では、出荷設定が完了しているかデータＲＯＭ１０４に出荷設定が完了しているフラグが立っているか確認する。出荷設定が完了している場合は画面遷移せずそのまま処理を終了する。出荷設定が完了していない場合はＳ３０５へ遷移する。尚、本例では出荷設定が完了しているかを判断基準としているが出荷設定ではなくその他の補正画面へ特定操作で遷移できない設定値でも良い。Ｓ３０５では、タッチパネル補正画面へ遷移し処理を終了する。
【００１９】
図４では出荷状態が完了する前後のタッチパネル補正画面への遷移方法をしめす。４０１は出荷設定が完了する前の状態である。通常の画面から音量キーを5回続けて押下するとタッチパネルの補正画面へ遷移する。４０２は出荷設定が完了後の状態でありユーザが通常使う事を想定としている。この状態では同じ４０１と同じように音量キーを5回続けて押下してもタッチパネル補正画面へ遷移せず最初の画面のままとなる。
【符号の説明】
【００２０】
１００  ＭＦＰ
１０７  印刷部
１０９  読取部
１１０  操作タッチパネル
１１２  回線Ｉ／Ｆ
１０１  コントローラ部
【図１】
2018149731.tif 000003
【図２】
2018149731.tif 000004
【図３】
2018149731.tif 000005
【図４】
2018149731.tif 000006